(57)【要約】  軸筒と、該軸筒の後部に取り付けるクリップと、前記軸筒の後部に挿入する挿入部材とを備え、前記軸筒の後部に、前記クリップの後部を嵌め込み整合させるクリップ取付部を形成すると共に、前記クリップの後部両側には前記軸筒の内周面に沿った方向に湾曲する取付片を形成し、前記挿入部材の外壁には前記クリップの取付片が嵌め込まれる嵌合凹部を形成し、前記クリップの取付片を前記挿入部材の嵌合凹部に嵌め込み係止させた状態で該挿入部材を前記軸筒の後部に挿入して該軸筒のクリップ取付部に前記クリップの後部を嵌め込むことにより、前記挿入部材を前記軸筒の内部で係止させる構造としたものである。
2010041336.tif 000002
【特許請求の範囲】
【請求項１】
軸筒と、該軸筒の後部に取り付けるクリップと、前記軸筒の後部に挿入する挿入部材とを備え、
前記軸筒の後部に、前記クリップの後部を嵌め込み整合させるクリップ取付部を形成すると共に、
前記クリップの後部両側には前記軸筒の内周面に沿った方向に湾曲する取付片を形成し、
前記挿入部材の外壁には前記クリップの取付片が嵌め込まれる嵌合凹部を形成し、
前記クリップの取付片を前記挿入部材の嵌合凹部に嵌め込み係止させた状態で該挿入部材を前記軸筒の後部に挿入して該軸筒のクリップ取付部に前記クリップの後部を嵌め込むことにより、前記挿入部材を前記軸筒の内部で係止させたことを特徴とする筆記具のクリップ取付構造。
【請求項２】
軸筒のクリップ取付部は、該軸筒の後部に形成されてクリップの後部が嵌め込まれる切欠部からなっていることを特徴とする請求の範囲第1項に記載の筆記具の取付構造。
【請求項３】
軸筒のクリップ取付部は、該軸筒の後部軸方向に平行に形成されてクリップ後部両側の取付片のネック部が個々に嵌め込まれるスリットからなっていることを特徴とする請求の範囲第1項に記載の筆記具の取付構造。
【請求項４】
軸筒の内部で挿入部材を係止させる手段として、前記軸筒の内壁と前記挿入部材の外壁とのいずれか一方に係止受部が形成され、かつ他方には前記係止受部に係止させる係止突起が形成されていることを特徴とする請求の範囲第１項に記載の筆記具のクリップ取付構造。
【請求項５】
挿入部材の後部には軸筒の後端に当接させる鍔部が形成され、該鍔部が前記軸筒の後端に当接する位置で係止受部に係止突起が係止するようになっていることを特徴とする請求の範囲第３項に記載の筆記具のクリップ取付構造。
【発明の詳細な説明】
【技術分野】
【０００１】
本発明は、ボールペンやシャープペンシルまたはこれらの複数本を備えた筆記具のクリップ取付構造に関するものである。
背景技術
従来の筆記具のクリップ取付構造として、美的外観の観点からクリップのみが軸筒の外側に露出するよう該軸筒の後端側にクリップの後端側を尾冠で取り付け固定したものは知られている（例えば、特許文献１参照）。【０００２】
特許文献１に開示された筆記具のクリップ取付構造では、本出願人によるものであり、その具体的構造は、軸筒の後端にクリップの基部を嵌め込む切欠部を形成すると共に、前記軸筒の中間部には前記切欠部の前方で開口する窓穴状の開口部（以下、中間開口部という）を設け、前記軸筒に取り付けるべきクリップには、該クリップの後端両側と中間寄りの両側の計４箇所にフック状の係止片を形成している。そして、クリップの取り付けに際しては、該クリップ中間寄りの係止片を前記軸筒の中間開口部の前端縁部に引っ掛け係合させると同時に、前記クリップ後端の係止片を前記軸筒後端の切欠部の切欠縁部に引っ掛け係合させている。この状態で、前記軸筒の後端内部に尾冠の挿入部を挿入し、該挿入部に形成された係止凹部を、前記軸筒の切欠部近傍に形成された係止突起に係止させることによって、前記尾冠の後端部に形成された鍔部（フランジ）により前記クリップの後端部を前記軸筒の切欠部との間で挟み込んで固定した構造となっている。【０００３】
このような特許文献１の筆記具のクリップ取付け構造によれば、比較的簡単な操作で軸筒に対してクリップの基部を強固に取り付けることができると共に、クリップのみを軸筒の外側に露出させて美的外観を得ることができるという利点がある。
【特許文献１】特開２００８−１９４９２７号公報（〔０００６〕、〔０００７〕、図１参照）
【発明の開示】
【０００４】
特許文献１の筆記具のクリップ取付構造では、軸筒にクリップを取り付けるための後端切欠部と中間開口部を形成しなければならないため、軸筒の加工コストが嵩むという課題があった。また、クリップにあっても、前述のように４箇所に係止片を形成しなければならないため、前記クリップの加工コストも嵩むという課題があった。さらに、前記クリップの４箇所の係止片を、前記軸筒の切欠部の切欠縁部と中間開口部の前端開口縁部に同時に嵌め込み係止させる作業は困難性が伴ってクリップ取付上の作業性が悪いという課題があった。また、前述のように、クリップの４箇所の係止片を前記軸筒の切欠部と中間開口部の縁部に係止させたのでは、前記クリップの例えばポケットに対する挟持可能部位が短くなるため、利便性に欠けるという課題があった。
すなわち、クリップをポケットに挟む際、前記クリップの中間寄りの係止片（前記中間開口部の開口縁部に係止させる係止片）が支点となるため、前記クリップの挟持可能部位が軸方向に短くなり、ポケットに挟み込んだクリップが外れやすくなるという課題があった。
【０００５】
本発明は上記のような課題を解決するためになされたもので、クリップの後部のみを軸筒の後部に簡単かつ強固に取り付けることができ、かつ、軸筒およびクリップの構造をシンプル化してこれらの加工コストを低減させることができる筆記具のクリップ取付構造を提供することを目的とする。
【０００６】
また、本発明は、特許文献１のクリップと同じ長さのクリップであっても、該クリップの挟持可能部位を特許文献１のクリップよりも長くできる筆記具のクリップ取付構造を提供することを目的とする。
【０００７】
本発明に係る筆記具の取付構造は、上記の目的を達成するために、軸筒と、該軸筒の後部に取り付けるクリップと、前記軸筒の後部に挿入する挿入部材とを備え、前記軸筒の後部に前記クリップの後部を嵌め込み整合させるクリップ取付部を形成すると共に、前記クリップの後部両側には前記軸筒の内周面に沿った方向に湾曲する取付片を形成し、前記挿入部材の外壁には前記クリップの取付片が嵌め込まれる嵌合凹部を形成し、前記クリップの取付片を前記挿入部材の嵌合凹部に嵌め込み係止させた状態で該挿入部材を前記軸筒の後部に挿入して該軸筒のクリップ取付部に前記クリップの後部を嵌め込むことにより、前記挿入部材を前記軸筒の内部で係止させたものである。
【０００８】
また、本発明に係る筆記具のクリップ取付構造において、軸筒のクリップ取付部は、該軸筒の後部に形成されてクリップの後部が嵌め込まれる切欠部からなっているものである。
【０００９】
さらに、本発明に係る筆記具のクリップ取付構造において、軸筒のクリップ取付部は、該軸筒の後部軸方向に平行に形成されてクリップ後部両側の取付片のネック部が個々に嵌め込まれるスリットからなっているものである。
【００１０】
さらに、本発明に係る筆記具の取付構造では、軸筒の内部で挿入部材を係止させる手段として、前記軸筒の内壁と前記挿入部材の外壁とのいずれか一方に係止受部が形成され、かつ他方には前記係止受部に係止させる係止突起が形成されているものである。
【００１１】
さらに、本発明に係る筆記具の取付構造において、挿入部材の後部には軸筒の後端に当接させる鍔部が形成され、該鍔部が前記軸筒の後端に当接する位置で係止受部に係止突起が係止するようになっているものである。
【００１２】
本発明によれば、クリップの後部両側に形成された取付片を、軸筒の後部に挿入する挿入部材の外壁に形成された嵌合凹部に嵌め込み係止させた状態で、前記挿入部材を前記軸筒の後部に挿入するだけの簡単な操作によって、該軸筒の後部にクリップの後部を容易に取り付けることができると共に、その取付状態において、前記挿入部材の嵌合凹部に嵌め込まれたクリップの取付片は単独移動が規制されるので、クリップの取付強度も十分に確保できる。また、前記軸筒には、該軸筒の後部に前記クリップの後部を嵌め込み整合させるクリップ取付部を形成するだけでよく、特許文献１における軸筒の中間開口部を不要化できるので、軸筒の加工が容易となり、加工コストの低減を図ることができる。さらには、クリップにあっても、該クリップの後部にのみ取付片を湾曲形成するだけでよいので、該クリップの加工も容易となって加工コストの低減が図れる。
【００１３】
また、本発明によれば、軸筒のクリップ取付部として、該軸筒の後部に切欠部を形成するだけでよく、この切欠部は軸筒の外側でクリップによって覆い隠すことが可能となるので、シンプルな筆記具のクリップ取付構造を提供することができる。
【００１４】
さらに、本発明によれば、軸筒のクリップ取付構造として、該軸筒の後部に平行するスリットを形成するだけでよく、このスリットは軸筒の外側でクリップによって覆い隠すことが可能となるので、シンプルな筆記具のクリップ取付構造を提供することができる。
【００１５】
さらに、本発明によれば、前述のようにクリップの取付片を挿入部材の嵌合凹部に嵌め込み係止させた状態で、前記挿入部材を前記軸筒内の所定位置まで挿入すると、該軸筒の係止受部または係止突起と前記挿入部材の係止突起または係止受部とが前記軸筒の内部で係止するので、前記クリップを軸筒に強固に撮り付けることができる。
【００１６】
さらには、前述のようにクリップの取付片を挿入部材の嵌合凹部に嵌め込み係止させた状態で、前記挿入部材を前記軸筒内に挿入して該軸筒の後端に前記挿入部材の鍔部を当接させることにより、前記係止受部と前記係止突起とを所定の位置で確実に係止させることができる。
【００１７】
さらには、前述のようにクリップの取付片だけが挿入部材によって軸筒の後部に取り付けられることにより、ポケット等にクリップを挟み込む際には、該クリップの後部のみが支点となるので、該クリップの挟持可能部位が軸方向に長くなり、このため、ポケット等からクリップが外れ難くなり、クリップ挟持時の安定性が得られる。
【図面の簡単な説明】
【００１８】
【図１】本発明の実施の形態１による筆記具のクリップ取付構造を示す分解斜視図である。
【図２】図１中のクリップを尾冠に取り付けた状態を示す斜視図である。
【図３】図１中の軸筒を示す平面図である。
【図４】図３のＡ−Ａ線に沿った断面図である。
【図５】図４のＢ−Ｂ線に沿った断面図である。
【図６】図１中のクリップの側面図である。
【図７】図６の裏面図である。
【図８】図６のクリップの後端部位を部分的に示す斜視図である。
【図９】図１中の尾冠を示す平面図である。
【図１０】図９の側面図である。
【図１１】図９のＣ−Ｃ線に沿った断面図である。
【図１２】図１０のＤ−Ｄ線に沿った拡大断面図である。
【図１３】本発明の実施の形態２による筆記具のクリップ取付構造を軸筒断面状態で示す側面図である。
【図１４】図１３のＥ−Ｅ線に沿った断面図である。
【図１５】図１３中の軸筒を示す平面図である。
【図１６】本発明の実施の形態３による筆記具のクリップ取付構造を示す径方向断面図である。
【図１７】図１６中の軸筒の要部を示す平面図である。
【発明を実施するための最良の形態】
【００１９】
実施の形態１．
この発明の実施の形態１による筆記具のクリップ取付構造は、図１および図２に示すように、軸筒１と、該軸筒１の後端部に取り付けるクリップ２と、該クリップ２の後部が組付けセットされて前記軸筒１の後部に挿入される挿入部材３とを備え、その挿入部材３によって前記軸筒１の後部にクリップ２の後部を取り付け固定する構造としたものであり、その詳細な構造を以下に説明する。【００２０】
前記軸筒１の後部には、前記クリップ２の後部を嵌め込み整合させるクリップ取付部１０が形成されている。【００２１】
この実施の形態１において、前記クリップ取付部１０は、軸筒１の後端部に形成されて前記クリップ２の後端基部を嵌め込む切欠部１１（図３参照）と、該切欠部１１の両側前方に平行に形成されて軸方向に延びるスリット１２，１３と、前記切欠部１１の前部内壁面に形成されたダボからなって前記尾冠３を所定の取付位置で係止させる係止受部１４とを有する構造となっている。【００２２】
前記クリップ２は、前記軸筒１の後端から該軸筒１の外壁面軸方向に沿わせるクリップ片２０と、該クリップ片２０の後端に屈曲形成された屈曲基部２１と、該屈曲基部２１の両側に連続形成されて前記軸筒１のスリット１２，１３に嵌め込まれるクリップ脚片２２ａ，２３ａ（図６および図８参照）と、このクリップ脚片２２ａ，２３ａをネック部として該クリップ脚片２２ａ，２３ａのそれぞれの先端に連続形成された取付片２２，２３とを有する構造となっている。【００２３】
前記クリップ脚片（ネック部）２２ａ，２３ａと前記取付片２２，２３の各後端面は同一端面に形成され、前記取付片２２，２３は前記クリップ脚片（ネック部）２２ａ，２３ａの幅よりも幅広くなった側面四角形状に形成されている。また、前記取付片２２，２３は、これらの外側面を前記軸筒１の内周面に沿わせる方向に湾曲形成されている。【００２４】
この実施の形態１において、前記挿入部材３は前記軸筒１の後部に挿入する尾冠からなっており、該尾冠３は前記軸筒１内への挿入部３０を有している。この挿入部３０は、前記軸筒１の内径と略同径の外径に形成された円筒胴部（円筒体）３１と、該円筒胴部３１の前端に連続形成されて前方に延出する左右一対のアーム片３２，３３と、該アーム片３２，３３の先端に跨って前記円筒胴部３１と同心円環状に形成された円環部３４とからなり、前記円筒胴部３１の後端には、前記軸筒１の後端に当接させる環状の鍔部（フランジ）３５が連続形成され、該鍔部３５は前記軸筒１の外径と同一径の外径に形成されている。【００２５】
このような尾冠３において、前記円筒胴部３１の外壁には、前記クリップ２の取付片２２，２３を嵌め込み係止させる側面四角形状の嵌合凹部３６，３７（図１、図９、図１０参照）が形成されている。これらの嵌合凹部３６，３７の底面は、前記クリップ２の取付片２２，２３と略同一曲率の湾曲面に形成されている。そして、前記嵌合凹部３６，３７に前記クリップ２の取付片２２，２３を嵌合させた状態では、該取付片２２，２３の外側面と尾冠３の円筒胴部３１の外壁とが同一円周面となるように形成されている。【００２６】
また、前記円筒胴部３１の外壁において、前記嵌合凹部３６，３７の相互間には、前記軸筒１の係止受部１４に係止させるための係止突起３８が形成されている。【００２７】
さらに、前記円筒胴部３１における鍔部３５との接続部両側には、前記嵌合凹部３６，３７の相互間で前記クリップ２後端のクリップ脚片（ネック部）２２ａ，２３ａの内側縁部が嵌め込まれる切欠係止部３９ａ，３９ｂが形成されている。【００２８】
次に、前記軸筒１に対するクリップ２の取り付けについて説明する。【００２９】
その取り付けに際しては、まずクリップ２後部の取付片２２，２３を尾冠３の嵌合凹部３６，３７を嵌め込み係止させると共に、尾冠（挿入部材）３の切欠係止部３９ａ，３９ｂにクリップ２後端のクリップ脚片２２ａ，２３ａの内側縁部が嵌め込まれる。これにより、前記クリップ２の取付片２２，２３は、前記尾冠３の嵌合凹部３６，３７と後端の鍔部３５とにより軸方向移動および周方向移動が規制される。これと共に、前記取付片２２，２３の外側面が前記尾冠３の円筒胴部３１の外壁と同一面となって前記クリップ２の後端基部が前記尾冠３の円筒胴部３１に組付け配置された状態に保持される。この状態では、前記クリップ２後端のクリップ脚片２２ａ，２３ａによって、前記尾冠３の円筒胴部３１とクリップ片２０との間には、前記円筒胴部３１を軸筒１の後部に挿入可能とする空隙部が形成される。【００３０】
このようにして、クリップ２の後端基部が組付けられた尾冠３の挿入部３０を軸筒１内の後部に挿入しながら前記クリップ２後端のネック部となるクリップ脚片２２ａ，２３ａを前記軸筒１のスリット１２，１３に押し込むと、前記軸筒１後端の切欠部１１に前記クリップ２後端の屈曲基部２１が嵌め込み整合されると共に、前記尾冠３の嵌合凹部３６，３７に嵌め込み係止されたクリップ２後端の取付片２２，２３の全体が軸筒１の内周面に沿って挿入された時点で前記尾冠３の鍔部３５が前記軸筒１の後端に当接する。その当接時点では、前記軸筒１の内部において、該軸筒１の係止受部１４が前記尾冠３の係止突起３８と係止する。これにより、前記軸筒１の後部にクリップ２と尾冠３が一体的に組付けられる。【００３１】
以上説明した筆記具のクリップ取付構造によれば、クリップ２の後部に形成された取付片２２，２３を、尾冠（挿入部材）３の円筒胴部３１に形成された嵌合凹部３６，３７に嵌め込み係止させ、この状態の尾冠３の挿入部３０を軸筒１の後部に挿入しながら、該軸筒１後端の切欠部１１に前記クリップ２の後端基部（屈曲基部２１）を嵌め込み整合させるだけでの簡単な操作によって、前記尾冠３の鍔部３５が軸筒１の後端に当接した状態に前記クリップ２を軸筒１の後端に取り付けることができる。そのクリップ２の取付状態では、該クリップ２の取付片２２，２３および前記尾冠３の挿入部３０が軸筒１内に収納され、軸筒１の外側にはクリップ片２０と尾冠３の鍔部３５のみが露出した状態となるので、美的外観を確保することができる。【００３２】
また、上述のように尾冠３の鍔部３５が軸筒１の後端に当接する位置では、前記軸筒１の内部で該軸筒１の係止受部１４に前記尾冠３の係止突起３８が係止することにより、前記軸筒１の後部にクリップ２の後端基部を強固に取り付けることができる。【００３３】
さらに、軸筒１の後部に対する尾冠３の挿入時には、クリップ脚片（ネック部）２２ａ，２３ａを軸筒１のスリット１２，１３に押し込むことにより、該スリット１２，１３によって前記尾冠３の係止突起３８を軸筒１の係止受部１４に係止させる方向に誘導させることができ、これにより、前記係止突起３８を前記係止受部１４にスムーズかつ確実に係止させることができる。【００３４】
しかも、軸筒１に取り付けられたクリップ２をポケット等に挟み込む際には、クリップ２後端のクリップ脚片２２ａ，２３ａのみが支点となってクリップ片２０の略全長がポケット等を軸筒１との間で挟み込むクリップ挟持可能部位となるため、クリップ２がポケット等から外れ難くなり、クリップ２の挟持時における安定性が向上する。【００３５】
なお、前記実施の形態１では、軸筒１の内部で尾冠（挿入部材）３を係止させる手段として、軸筒１の内壁に係止受部１４を形成し、尾冠３の円筒胴部３１の外壁に係止突起３８を形成したが、これとは逆に、前記軸筒１の内壁に係止突起３８を形成し、前記尾冠３の円筒胴部３１の外壁に係止受部１４を形成してよく、この場合も同様の係止機能を発揮させることができる。
実施の形態２．
この実施の形態２による筆記具のクリップ取付構造を示す図１３から図１５において、図１から図１２と同一部分または相当部分には同一符号を付して重複説明を省略する。【００３６】
前記実施の形態１では、軸筒１の後端部に切欠部１１を形成すると共に、挿入部材３として後端に鍔部３５を有する尾冠３を適用したが、この実施の形態２では、前記切欠部１１を不要化した軸筒１を適用すると共に、挿入部材３として前記鍔部３５を不要化して前記軸筒１内の後部に全体が挿入される円筒体３１を適用したものである。【００３７】
この実施の形態２において、前記軸筒１は、該軸筒１の後端から軸方向前方に延びてクリップ２のクリップ脚片（ネック部）２２ａ，２３ａが嵌め込まれるスリット１２，１３を形成すると共に、前記軸筒１の内壁部に前記円筒体３１の前端を係止させる係止突起１５を設けた構造となっている。【００３８】
また、挿入部材３として軸筒１内の後部に全体が挿入される円筒体３１は、前記軸筒１の内径とほぼ同径の内径に形成されて外壁中間部に嵌合凹部３６，３７が形成された構造となっている。【００３９】
この実施の形態２において、クリップ２の取り付けに際しては、前記実施の形態１の場合と同様にクリップ２の取付片２２，２３を円筒体３１の嵌合凹部３６，３７に嵌め込むことにより、該嵌合凹部３６，３７によって前記取付片２２，２３の軸方向移動および周方向移動が規制され、かつ、該取付片２２，２３の外側面が前記円筒体３１の外壁と同一面となって前記クリップ２の後部が前記円筒体３１に組付け仮保持される。この状態の円筒体３１を軸筒１の後部に挿入しながら該軸筒１のスリット１２，１３にクリップ脚片２２ａ，２３ａを嵌め込んで前記円筒体３１の全体を押し込むと、該円筒体３１の前端が前記軸筒１内の係止突起１５に当接係止する。これにより、前記円筒体３１の全体が軸筒１内に収納された状態となって該軸筒１の後部にクリップ２の後部が取り付け固定される。【００４０】
以上説明した実施の形態２の筆記具のクリップ取付構造によれば、軸筒１には後部のスリット１２，１３と内壁の係止突起１５だけを形成すればよく、また、挿入部材３にあっても円筒体３１を用いて該円筒体３１の外壁に嵌合凹部３６，３７を形成するだけでよいので、構造が簡素化し、前記軸筒１および挿入部材３の加工コストをいっそう低減することができる。
実施の形態３．
この実施の形態３においては、図１６および図１７に示すように、軸筒１のクリップ取付部１０として、該軸筒１の後部に平面凹欠形状の切欠部１１Ａを形成し、この切欠部１１Ａにクリップ２のクリップ脚片２２ａ，２３ａを総じて嵌め込み、該クリップ脚片２２ａ，２３ａの外側面を前記切欠部１１Ａの両側内面に当接させる構造としたものである。【００４１】
この実施の形態３によれば、軸筒１の後部に平面凹欠形状の切欠部１１Ａを形成するだけでよいので、該軸筒１の加工コストをいっそう低減することができる。
【産業上の利用可能性】
【００４２】
以上のように、本発明に係る筆記具のクリップ取付構造では、クリップが取り付けられる軸筒には、クリップの後部両側に形成された取付片のネック部を嵌め込み係止させるスリットを形成しただけであり、また、前記軸筒の後部に挿入される挿入部材には該挿入部材の外壁に前記取付片を嵌め込み係止させる嵌合凹部を形成すればよいので、前記軸筒の構造および前記挿入部材の構造がシンプルとなる。このため、前記軸筒および前記挿入部材の加工が容易となり、これらの加工コストの低減が図れる。【００４３】
特に、本発明では、クリップに形成した取付片を挿入部材の嵌合凹部に嵌め込み係止させ、この状態の前記挿入部材を軸筒の後部に挿入係止させる構造としたことにより、ポケット等に対する前記クリップの挟持可能部位を長くすることができ、クリップのポケット等への挟持時における安定性が向上した筆記具の実用化を図ることができる。
【図１】
2010041336.tif 000003
【図２】
2010041336.tif 000004
【図３】
2010041336.tif 000005
【図４】
2010041336.tif 000006
【図５】
2010041336.tif 000007
【図６】
2010041336.tif 000008
【図７】
2010041336.tif 000009
【図８】
2010041336.tif 000010
【図９】
2010041336.tif 000011
【図１０】
2010041336.tif 000012
【図１１】
2010041336.tif 000013
【図１２】
2010041336.tif 000014
【図１３】
2010041336.tif 000015
【図１４】
2010041336.tif 000016
【図１５】
2010041336.tif 000017
【図１６】
2010041336.tif 000018
【図１７】
2010041336.tif 000019
【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
軸筒と、該軸筒の後部に取り付けるクリップと、前記軸筒の後部に挿入する挿入部材とを備え、
前記軸筒の後部に、前記クリップの後部を嵌め込み整合させるクリップ取付部を形成すると共に、
前記クリップの後部には前記軸筒の内周面に沿った方向に湾曲する取付片を形成し、
前記挿入部材の外壁には前記クリップの取付片が嵌め込まれる嵌合凹部を形成し、
前記クリップの取付片を前記挿入部材の嵌合凹部に嵌め込み係止させた状態で該挿入部材を前記軸筒の後部に挿入して該軸筒のクリップ取付部に前記クリップの後部を嵌め込むことにより、前記挿入部材を前記軸筒の内部で係止させ、
軸筒のクリップ取付部は、該軸筒の後部軸方向に平行に形成されてクリップ後部の取付片のネック部が嵌め込まれるスリットからなっていることを特徴とする筆記具の取付構造。
【請求項２】
軸筒のクリップ取付部は、該軸筒の後部に形成されてクリップの後部が嵌め込まれる切欠部からなっていることを特徴とする請求項１に記載の筆記具の取付構造。
【請求項３】
軸筒の内部で挿入部材を係止させる手段として、前記軸筒の内壁と前記挿入部材の外壁とのいずれか一方に係止受部が形成され、かつ他方には前記係止受部に係止させる係止突起が形成されていることを特徴とする請求項１に記載の筆記具のクリップ取付構造。
【請求項４】
挿入部材の後部には軸筒の後端に当接させる鍔部が形成され、該鍔部が前記軸筒の後端に当接する位置で係止受部に係止突起が係止するようになっていることを特徴とする請求項１に記載の筆記具のクリップ取付構造。
【手続補正２】
【補正対象書類名】明細書
【補正対象項目名】００１５
【補正方法】変更
【補正の内容】
【００１５】
さらに、本発明によれば、前述のようにクリップの取付片を挿入部材の嵌合凹部に嵌め込み係止させた状態で、前記挿入部材を前記軸筒内の所定位置まで挿入すると、該軸筒の係止受部または係止突起と前記挿入部材の係止突起または係止受部とが前記軸筒の内部で係止するので、前記クリップを軸筒に強固に取り付けることができる。
【国際調査報告】
2010041336.tif 000020
2010041336.tif 000021
2010041336.tif 000022
2010041336.tif 000023